(57)【要約】【課題】本発明は、被写界深度を再現する３Ｄ表示パネル及びその表示方法を提供する。【解決手段】本発明の３Ｄ表示パネルは、台座と、前記台座上に形成された薄膜トランジスタ配列と、前記薄膜トランジスタ配列上に形成された第一有機発光層と、前記薄膜トランジスタ配列及び第一有機発光層上に形成された絶縁層と、絶縁層上に形成された第二有機発光層と、前記第二有機発光層及び絶縁層上に形成された陰極層とからなる。前記第一有機発光層と第二有機発光層は、重ならないように設けられるとともに、前記第一有機発光層は近景画面を表示するために用いられ、前記第二有機発光層は遠景画面を表示するために用いられ、これにより近景画面と遠景画面が分離されて、３Ｄ表示効果が得られる。【選択図】図４
2017502326.tif 000002
【特許請求の範囲】
【請求項１】
台座と、前記台座上に形成された薄膜トランジスタ配列と、前記薄膜トランジスタ配列上に形成された第一有機発光層と、前記薄膜トランジスタ配列及び第一有機発光層上に形成された絶縁層と、前記絶縁層上に形成された第二有機発光層と、前記第二有機発光層及び絶縁層上に形成された陰極層とからなる、被写界深度を再現する３Ｄ表示パネルであって、
前記第一有機発光層と第二有機発光層は、重ならないように設けられるとともに、
前記第一有機発光層は、近景画面を表示するために用いられ、
前記第二有機発光層は、遠景画面を表示するために用いられ、
これにより、近景画面と遠景画面が分離されて３Ｄ表示が得られることを特徴とする、被写界深度を再現する３Ｄ表示パネル。
【請求項２】
更に、前記第一有機発光層は、複数個の第一有機材料モジュールからなり、
前記第二有機発光層は、複数個の第二有機材料モジュールからなり、
前記第一・第二有機材料モジュールは、重ならないように設けられて、３Ｄ表示パネルの表示領域全体に配置されることを特徴とする、請求項１に記載の被写界深度を再現する３Ｄ表示パネル。
【請求項３】
更に、前記３Ｄ表示パネルには、遮蔽板が設けられ、
前記遮蔽板は、回折格子の作用を生じるように、前記台座における薄膜トランジスタ配列から離れた一側に設けられることを特徴とする、請求項１に記載の被写界深度を再現する３Ｄ表示パネル。
【請求項４】
更に、前記絶縁層は、有機絶縁材料によって形成され、
前記陰極層は、金属材料によって形成されることを特徴とする、請求項１に記載の被写界深度を再現する３Ｄ表示パネル。
【請求項５】
更に、前記３Ｄ表示パネルは、裸眼３Ｄ表示パネルであることを特徴とする、請求項１に記載の被写界深度を再現する３Ｄ表示パネル。
【請求項６】
更に、前記３Ｄ表示パネルは、アクティブマトリクス有機ＥＬパネルであることを特徴とする、請求項５に記載の被写界深度を再現する３Ｄ表示パネル。
【請求項７】
台座と、前記台座上に形成された薄膜トランジスタ配列と、前記薄膜トランジスタ配列上に形成された第一有機発光層と、前記薄膜トランジスタ配列及び第一有機発光層上に形成された絶縁層と、前記絶縁層上に形成された第二有機発光層と、前記第二有機発光層及び絶縁層上に形成された陰極層とからなる、被写界深度を再現する３Ｄ表示パネルであって、
前記第一有機発光層と第二有機発光層は、重ならないように設けられるとともに、
前記第一有機発光層は、近景画面を表示するために用いられ、
前記第二有機発光層は、遠景画面を表示するために用いられ、
これにより、近景画面と遠景画面が分離されて３Ｄ表示が得られ、
更に、前記第一有機発光層は、複数個の第一有機材料モジュールからなり、
前記第二有機発光層は、複数個の第二有機材料モジュールからなり、
前記第一・第二有機材料モジュールは、重ならないように設けられて、３Ｄ表示パネルの表示領域全体に配置されることを特徴とする、被写界深度を再現する３Ｄ表示パネル。
【請求項８】
更に、前記３Ｄ表示パネルには、遮蔽板が設けられ、
前記遮蔽板は、回折格子の作用を生じるように、前記台座における薄膜トランジスタ配列から離れた一側に設けられることを特徴とする、請求項７に記載の被写界深度を再現する３Ｄ表示パネル。
【請求項９】
更に、前記絶縁層は、有機絶縁材料によって形成され、
前記陰極層は、金属材料によって形成されることを特徴とする、請求項７に記載の被写界深度を再現する３Ｄ表示パネル。
【請求項１０】
更に、前記３Ｄ表示パネルは、裸眼３Ｄ表示パネルであることを特徴とする、請求項７に記載の被写界深度を再現する３Ｄ表示パネル。
【請求項１１】
更に、前記３Ｄ表示パネルは、アクティブマトリクス有機ＥＬパネルであることを特徴とする、請求項１０に記載の被写界深度を再現する３Ｄ表示パネル。
【請求項１２】
３Ｄ表示パネルの表示方法であって、
前記表示方法は、以下の手順１及び手順２を含み、
手順１では、３Ｄ表示パネルを用意し、
前記３Ｄ表示パネルは、異なる高さに位置する第一・第二有機発光層からなるとともに、前記第一・第二有機発光層は重ならないように設けられ、
手順２では、前記３Ｄ表示パネルを駆動するとともに、前記第一有機発光層を用いて近景画面を表示し、前記第二有機発光層を用いて遠景画面を表示することで、近景画面と遠景画面を分離させて、３Ｄ表示を行うことを特徴とする、３Ｄ表示パネルの表示方法。
【請求項１３】
更に、前記３Ｄ表示パネルは、台座と、薄膜トランジスタ配列と、絶縁層と、陰極層と、遮蔽板とからなり、
前記薄膜トランジスタ配列は、前記台座上に形成され、
前記第一有機発光層は、前記薄膜トランジスタ配列上に形成され、
前記絶縁層は、前記薄膜トランジスタ配列及び第一有機発光層上に形成され、
前記第二有機発光層は、前記絶縁層上に形成され、
前記陰極層は、前記絶縁層及び第二有機発光層上に形成され、
前記遮蔽板は、回折格子の作用を生じるように、前記台座における薄膜トランジスタ配列から離れた一側に設けられることを特徴とする、請求項１２に記載の３Ｄ表示パネルの表示方法。
【請求項１４】
更に、前記第一有機発光層は、複数個の第一有機材料モジュールからなり、
前記第二有機発光層は、複数個の第二有機材料モジュールからなり、
前記第一・第二有機材料モジュールは、重ならないように設けられて、３Ｄ表示パネルの表示領域全体に配置されることを特徴とする、請求項１３に記載の３Ｄ表示パネルの表示方法。
【請求項１５】
更に、前記絶縁層は、有機絶縁材料によって形成され、
前記陰極層は、金属材料によって形成され、
前記３Ｄ表示パネルは、裸眼３Ｄ表示パネルであるとともに、前記３Ｄ表示パネルは、アクティブマトリクス有機ＥＬパネルであることを特徴とする、請求項１３に記載の３Ｄ表示パネルの表示方法。
【発明の詳細な説明】
【技術分野】
【０００１】
本発明は、３Ｄ表示技術に関し、特に、被写界深度を再現する３Ｄ表示パネル及びその表示方法に関する。
【背景技術】
【０００２】
３Ｄ表示技術は、現在の表示分野における発展の趨向になっている。３Ｄ表示技術は、画面を立体的でリアルに表現するものであり、画像をモニターの平面上に制限することなく、モニターの外に飛び出して、まるでその場に身を置いているかのような感覚を視聴者に与えることが出来る。現在、３Ｄ表示技術は一般に両目視差の原理を用いて実現されており、二つの視差画像（即ち、左・右の視差画像）を二次元表示画面上に表示した後、所定の技術を利用することで観視者の左・右眼がそれぞれ二次元表示画面上の左・右視差画像だけを見るようにするものである。
【０００３】
３Ｄ表示技術を分類すると、眼鏡式と裸眼式の二つに大別される。また、従来の液晶ディスプレイ（Ｌｉｑｕｉｄ  Ｃｒｙｓｔａｌ  Ｄｉｓｐｌａｙ、ＬＣＤ）の裸眼３Ｄ表示技術には、視差バリア方式とレンチキュラーレンズによる技術の二種類がある。
【０００４】
視差バリア方式の３Ｄ表示技術は、一個のスイッチ液晶パネル・偏光フィルム・高分子液晶層を使用するとともに、高分子液晶層と偏光フィルムを利用して方向が９０°の一組の垂直縞模様を作り出すことにより実現される。これらの縞模様は、幅が数十マイクロメートルであるとともに、通過した光が垂直の細長い短冊状パターンを形成するため、“視差バリア”と呼ばれる。前記視差バリア方式の３Ｄ表示技術は、バックライトモジュールと液晶表示パネルの間に設けられた視差バリアを利用するとともに、立体表示モードにおいて、左眼が見るべき画像が液晶パネル上に表示された時、不透明の縞模様が右眼を遮り、また同様に、右眼が見るべき画像が液晶パネル上に表示された時、不透明の縞模様が左眼を遮り、これにより左眼と右眼の可視画面を分けることで（図１参照）、観察者に３Ｄ映像を見せる。この種の技術はコストが比較的低いものの、モニター輝度が低めである。
【０００５】
レンチキュラーレンズ（微細な凸レンズが並んだシート）による３Ｄ表示技術は、液晶パネルの像平面がレンズの焦平面上に設けられることで、一つ一つのレンチキュラーレンズ下方の画像の画素が複数個のサブ画素に分けられ、これによりレンズが異なる方向で一つ一つのサブ画素を投影することが出来る。よって、両目が異なる角度からディスプレイを見た際に、異なるサブ画素が見えるようになり、これにより３Ｄ効果が得られる。この種の３Ｄ表示技術は表示効果がより良好で、輝度も影響されないものの、関連する製造プロセスが従来の液晶ディスプレイの液晶技術と相容れないため、新しい設備と生産ラインを開発するための投資が必要になる。
【０００６】
有機ＥＬディスプレイ（Ｏｒｇａｎｉｃ  Ｌｉｇｈｔ−Ｅｍｉｔｔｉｎｇ  Ｄｉｓｐｌａｙ、ＯＬＥＤ）は、有機半導体材料と発光材料が電場駆動の下、キャリアの注入と結合を通して発光するデバイスである。有機ＥＬディスプレイを駆動方式によって分類すると、パッシブマトリクス式有機ＥＬディスプレイ（Ｐａｓｓｉｖｅ−ｍａｔｒｉｘ  ｏｒｇａｎｉｃ  ｌｉｇｈｔ  ｅｍｉｔｔｉｎｇ  ｄｉｏｄｅ、ＰＭＯＬＥＤ）と、アクティブマトリクス式有機ＥＬディスプレイ（Ａｃｔｉｖｅ−ｍａｔｒｉｘ  ｏｒｇａｎｉｃ  ｌｉｇｈｔ  ｅｍｉｔｔｉｎｇ  ｄｉｏｄｅ、ＡＭＯＬＥＤ）に分けられる。図２を参照する。アクティブマトリクス有機ＥＬパネルの構造は、台座１０２と、台座１０２上に形成された薄膜トランジスタ配列１０４と、薄膜トランジスタ配列１０４上に形成された有機発光層１０６と、有機発光層１０６上に形成された陰極層１０８とからなる。図３を参照する。アクティブマトリクス有機ＥＬパネルの発光原理は、透明電極（例えば酸化インジウムスズＩＴＯ電極）２０２と金属電極２０４を、それぞれ有機発光デバイスの陽極と陰極として用いるとともに、所定の電圧駆動の下、電子３０２と正孔３０４がそれぞれ陰極と陽極から電子輸送層２０６と正孔輸送層２０８に注入され、更に電子３０２と正孔３０４がそれぞれ電子輸送層２０６と正孔輸送層２０８を経由して発光層２０９まで移動し、且つ発光層２０９において互いに結合することで、励起子を形成して発光分子が勃起され、これにより発光分子が放射緩和を経て可視光線３０６を発するというものである。可視光線３０６は透明電極２０２一側から観察され、同時に金属電極２０４は反射層の作用を生じる。
【０００７】
表示機能面において、アクティブマトリクス有機ＥＬディスプレイは、素早い応答速度・コントラストの高さ・広い視野角を備えている。これらの点でアクティブマトリクス有機ＥＬディスプレイは、薄膜電界効果トランジスタ液晶ディスプレイ（Ｔｈｉｎ  Ｆｉｌｍ  Ｔｒａｎｓｉｓｔｏｒ  Ｌｉｑｕｉｄ  Ｃｒｙｓｔａｌ  Ｄｉｓｐｌａｙ、ＴＦＴ  ＬＣＤ）に勝っている。このほかアクティブマトリクス有機ＥＬディスプレイは、自発光という特長を備えており、バックライトモジュールを必要としないため、薄膜電界効果トランジスタ液晶ディスプレイに比べて軽量薄型化が可能で、且つ省エネである。更に重要な特長は、バックライトモジュールを必要としないアクティブマトリクス有機ＥＬディスプレイは、薄膜電界効果トランジスタ液晶ディスプレイで３〜４割を占めるバックライトモジュールのコストを省ける点である。
【発明の概要】
【発明が解決しようとする課題】
【０００８】
本発明は、薄膜トランジスタ液晶ディスプレイの裸眼３Ｄ表示技術における問題を解決するとともに、アクティブマトリクス有機ＥＬパネルの自発光特性によって、低コスト・高輝度・素早い応答速度・高いコントラスト・広視野角等の長所を備え、且つ３Ｄ被写界深度の効果によって、よりリアルな裸眼３Ｄの画面を再現することが可能な、被写界深度を再現する３Ｄ表示パネルを提供することを目的とする。
【０００９】
また本発明は、異なる高さに位置する第一・第二有機発光層によってそれぞれ近景画面・遠景画面を表示するとともに、近景画面と遠景画面を分離するという方法を用いて３Ｄ表示を行うことにより、方法が簡単で、低コスト・高輝度・素早い応答速度・高いコントラスト・広視野角等の長所を備え、且つ３Ｄ被写界深度の効果によって、よりリアルな裸眼３Ｄの画面を再現することが可能な、３Ｄ表示パネルの表示方法を提供することを目的とする。
【課題を解決するための手段】
【００１０】
上述の目的を達成するために、本発明が提供する被写界深度を再現する３Ｄ表示パネルは、台座と、前記台座上に形成された薄膜トランジスタ配列と、前記薄膜トランジスタ配列上に形成された第一有機発光層と、前記薄膜トランジスタ配列及び第一有機発光層上に形成された絶縁層と、絶縁層上に形成された第二有機発光層と、前記第二有機発光層及び絶縁層上に形成された陰極層とからなる。前記第一有機発光層と第二有機発光層は、重ならないように設けられるとともに、前記第一有機発光層は近景画面を表示するために用いられ、前記第二有機発光層は遠景画面を表示するために用いられる。これにより、近景画面と遠景画面が分離されて、３Ｄ表示効果が得られる。
【００１１】
前記第一有機発光層は、複数個の第一有機材料モジュールからなる。前記第二有機発光層は、複数個の第二有機材料モジュールからなる。前記第一・第二有機材料モジュールは重ならないように設けられて、３Ｄ表示パネルの表示領域全体に配置される。
【００１２】
前記被写界深度を再現する３Ｄ表示パネルには、更に遮蔽板が設けられる。前記遮蔽板は、台座における薄膜トランジスタ配列から離れた一側に設けられて、回折格子の作用を生じる。
【００１３】
前記絶縁層は、有機絶縁材料によって形成される。前記陰極層は、金属材料によって形成される。
【００１４】
前記３Ｄ表示パネルは、裸眼３Ｄ表示パネルである。
【００１５】
前記３Ｄ表示パネルは、アクティブマトリクス有機ＥＬパネルである。
【００１６】
また、本発明が提供する被写界深度を再現する３Ｄ表示パネルは、台座と、前記台座上に形成された薄膜トランジスタ配列と、前記薄膜トランジスタ配列上に形成された第一有機発光層と、前記薄膜トランジスタ配列及び第一有機発光層上に形成された絶縁層と、絶縁層上に形成された第二有機発光層と、前記第二有機発光層及び絶縁層上に形成された陰極層とからなる。前記第一有機発光層と第二有機発光層は、重ならないように設けられるとともに、前記第一有機発光層は近景画面を表示するために用いられ、前記第二有機発光層は遠景画面を表示するために用いられる。これにより、近景画面と遠景画面が分離されて、３Ｄ表示効果が得られる。
【００１７】
このうち、前記第一有機発光層は、複数個の第一有機材料モジュールからなる。前記第二有機発光層は、複数個の第二有機材料モジュールからなる。前記第一・第二有機材料モジュールは重ならないように設けられて、３Ｄ表示パネルの表示領域全体に配置される。
【００１８】
前記被写界深度を再現する３Ｄ表示パネルには、更に遮蔽板が設けられる。前記遮蔽板は、台座における薄膜トランジスタ配列から離れた一側に設けられて、回折格子の作用を生じる。
【００１９】
前記絶縁層は、有機絶縁材料によって形成される。前記陰極層は、金属材料によって形成される。
【００２０】
前記３Ｄ表示パネルは、裸眼３Ｄ表示パネルである。
【００２１】
前記３Ｄ表示パネルは、アクティブマトリクス有機ＥＬパネルである。
【００２２】
また、本発明が提供する３Ｄ表示パネルの表示方法は、以下の手順を含む。
【００２３】
手順１では、３Ｄ表示パネルを用意する。前記３Ｄ表示パネルは、異なる高さに位置する第一・第二有機発光層からなるとともに、前記第一・第二有機発光層は重ならないように設けられる。
【００２４】
手順２では、前記３Ｄ表示パネルを駆動するとともに、前記第一有機発光層を用いて近景画面を表示し、前記第二有機発光層を用いて遠景画面を表示することで、近景画面と遠景画面を分離させて、３Ｄ表示を行う。
【００２５】
前記３Ｄ表示パネルは更に、台座と、薄膜トランジスタ配列と、絶縁層と、陰極層と、遮蔽板とからなる。前記薄膜トランジスタ配列は、台座上に形成される。前記第一有機発光層は、前記薄膜トランジスタ配列上に形成される。前記絶縁層は、前記薄膜トランジスタ配列及び第一有機発光層上に形成される。前記第二有機発光層は、前記絶縁層上に形成される。前記陰極層は、前記絶縁層及び第二有機発光層上に形成される。前記遮蔽板は、台座における薄膜トランジスタ配列から離れた一側に設けられて、回折格子の作用を生じる。
【００２６】
前記第一有機発光層は、複数個の第一有機材料モジュールからなる。前記第二有機発光層は、複数個の第二有機材料モジュールからなる。前記第一・第二有機材料モジュールは重ならないように設けられて、３Ｄ表示パネルの表示領域全体に配置される。
【００２７】
前記絶縁層は、有機絶縁材料によって形成される。前記陰極層は、金属材料によって形成される。前記３Ｄ表示パネルは、裸眼３Ｄ表示パネルであるとともに、前記３Ｄ表示パネルは、アクティブマトリクス有機ＥＬパネルである。
【発明の効果】
【００２８】
以上の構造によってなる本発明は、以下の有益な効果を備える。本発明の被写界深度を再現する３Ｄ表示パネル及びその表示方法は、異なる高さに位置する第一・第二有機発光層によってそれぞれ近景画面・遠景画面を表示するとともに、近景画面と遠景画面を分離するという方法を用いて３Ｄ表示を行うことで、薄膜トランジスタ液晶ディスプレイの裸眼３Ｄ表示技術における問題を解決する。加えて、アクティブマトリクス有機ＥＬパネルの自発光特性によって、方法が簡単で、低コスト・高輝度・素早い反応速度・高いコントラスト・広視野角等の長所を備え、且つ３Ｄ被写界深度の効果によって、よりリアルな裸眼３Ｄの画面を再現することが可能である。
【００２９】
本発明の特徴と技術内容の詳細については、以下の本発明についての詳説と図を参照されたい。ただし、図はあくまで参考及び説明用であり、本発明に制限を加えるものではない。
【図面の簡単な説明】
【００３０】
下記の図を合わせて本発明の具体的実施形態について詳細に説明することで、本発明の技術手法及びその他の有益な効果を詳らかにする。
【図１】従来技術における視差バリア方式の３Ｄ表示技術の原理図である。
【図２】従来技術におけるアクティブマトリクス有機ＥＬパネルの構造概略図である。
【図３】従来技術におけるアクティブマトリクス有機ＥＬパネルの動作原理図である。
【図４】本発明の被写界深度を再現する３Ｄ表示パネルの構造概略図である。
【図５】本発明の被写界深度を再現する３Ｄ表示パネルの表示原理図である。
【図６】本発明の３Ｄ表示パネルの表示方法を示したフロー図である。
【発明を実施するための形態】
【００３１】
本発明の技術手法と効果について詳述するために、以下で本発明の実施例及び図を参照しつつ説明する。
【００３２】
（実施例１）
図４及び図５を参照する。本発明が提供する被写界深度を再現する３Ｄ表示パネルは、台座１２と、台座１２上に形成された薄膜トランジスタ配列１４と、薄膜トランジスタ配列１４上に形成された第一有機発光層１６と、薄膜トランジスタ配列１４及び第一有機発光層１６上に形成された絶縁層１７と、絶縁層１７上に形成された第二有機発光層１８と、第二有機発光層１８及び絶縁層１７上に形成された陰極層１９とからなる。第一有機発光層１６と第二有機発光層１８は、重ならないように設けられるとともに、第一有機発光層１６は近景画面を表示するために用いられ、第二有機発光層１８は遠景画面を表示するために用いられる。これにより、近景画面と遠景画面が分離されて、３Ｄ表示効果が得られる。以上により、従来技術における液晶ディスプレイの裸眼３Ｄ表示技術に存在する前記二種の問題を解決することが出来る。
【００３３】
第一有機発光層１６は、複数個の第一有機材料モジュール２６からなる。第二有機発光層１８は、複数個の第二有機材料モジュール２８からなる。第一・第二有機材料モジュール２６・２８は重ならないように設けられて、３Ｄ表示パネルの表示領域全体に配置される。
【００３４】
前記被写界深度を再現する３Ｄ表示パネルには、更に遮蔽板２０が設けられる。遮蔽板２０は、台座１２における薄膜トランジスタ配列１４から離れた一側に設けられ、これにより前記３Ｄ表示パネルの出光面上に位置して、回折格子の作用を生じる。
【００３５】
絶縁層１７は、主に第一・第二有機発光層１６・１８を三次元方向において隔てるために用いられるとともに、具体的な厚さは実際の需要に応じて定められ、且つ有機絶縁材料によって形成されることが望ましい。陰極層１９は、金属材料によって形成されるとともに、従来多用されている金属材料を用いることも可能であるため、生産コストの削減が出来る。
【００３６】
台座１２は、絶縁台座であるとともに、透明ガラスによって作成されることが望ましい。
【００３７】
前記３Ｄ表示パネルは、裸眼３Ｄ表示のアクティブマトリクス有機ＥＬパネルであり、低コスト・高輝度・素早い応答速度・高いコントラスト・広視野角等の長所を備える。加えて、３Ｄ被写界深度の効果によって、よりリアルな裸眼３Ｄの画面を再現することが可能である。
【００３８】
（実施例２）
図６、及び図４と図５を合わせて参照する。本発明が提供する３Ｄ表示パネルの表示方法は、以下の手順を含む。
【００３９】
手順１では、３Ｄ表示パネルを用意する。前記３Ｄ表示パネルは、異なる高さに位置する第一・第二有機発光層１６・１８からなるとともに、第一・第二有機発光層１６・１８は重ならないように設けられる。
【００４０】
前記３Ｄ表示パネルは更に、台座１２と、薄膜トランジスタ配列１４と、絶縁層１７と、陰極層１９と、遮蔽板２０とからなる。薄膜トランジスタ配列１４は、台座１２上に形成される。第一有機発光層１６は、薄膜トランジスタ配列１４上に形成される。絶縁層１７は、薄膜トランジスタ配列１４及び第一有機発光層１６上に形成される。第二有機発光層１８は、絶縁層１７上に形成される。陰極層１９は、絶縁層１７及び第二有機発光層１８上に形成される。遮蔽板２０は、台座１２における薄膜トランジスタ配列１４から離れた一側に設けられ、これにより前記３Ｄ表示パネルの出光面上に位置して、回折格子の作用を生じる。
【００４１】
第一有機発光層１６は、複数個の第一有機材料モジュール２６からなる。第二有機発光層１８は、複数個の第二有機材料モジュール２８からなる。第一・第二有機材料モジュール２６・２８は重ならないように設けられて、３Ｄ表示パネルの表示領域全体に配置される。
【００４２】
絶縁層１７は、主に第一・第二有機発光層１６・１８を三次元方向において隔てるために用いられるとともに、具体的な厚さは実際の需要に応じて設けられ、且つ有機絶縁材料によって形成されることが望ましい。陰極層１９は、金属材料によって形成されるとともに、従来多用されている金属材料を用いることも可能であるため、生産コストの削減が出来る。
【００４３】
台座１２は、絶縁台座であるとともに、透明ガラスによって作成されることが望ましい。
【００４４】
手順２では、前記３Ｄ表示パネルを駆動するとともに、第一有機発光層１６を用いて近景画面を表示し、第二有機発光層１８を用いて遠景画面を表示することで、近景画面と遠景画面を分離させて、３Ｄ表示を行う。
【００４５】
上述した方法を用いて裸眼３Ｄ表示を行うことにより、従来技術における液晶ディスプレイの裸眼３Ｄ表示技術に存在する前記二種の問題を解決可能であり、且つその方法も簡単である。
【００４６】
前記３Ｄ表示パネルは、裸眼３Ｄ表示のアクティブマトリクス有機ＥＬパネルであり、低コスト・高輝度・素早い応答速度・高いコントラスト・広視野角等の長所を備える。加えて、３Ｄ被写界深度の効果によって、よりリアルな裸眼３Ｄの画面を再現することが可能である。
【００４７】
上述を総じて言えば、本発明の被写界深度を再現する３Ｄ表示パネル及びその表示方法は、異なる高さに位置する第一・第二有機発光層によってそれぞれ近景画面・遠景画面を表示するとともに、近景画面と遠景画面を分離するという方法を用いて３Ｄ表示を行うことで、薄膜トランジスタ液晶ディスプレイの裸眼３Ｄ表示技術における問題を解決する。加えて、アクティブマトリクス有機ＥＬパネルの自発光特性によって、方法が簡単で、低コスト・高輝度・素早い反応速度・高いコントラスト・広視野角等の長所を備え、且つ３Ｄ被写界深度の効果によって、よりリアルな裸眼３Ｄの画面を再現することが可能である。
【００４８】
以上の記述により、本発明の分野の一般的な技術員は、本発明の技術手法と構想に基づいて各種の変更と変形を加えることが可能であり、これらの変更と変形は、いずれも本発明の権利要求の保護範囲に属する。
【符号の説明】
【００４９】
（従来技術）
１０２ 台座
１０４ 薄膜トランジスタ配列
１０６ 有機発光層
１０８ 陰極層
２０２ 透明電極
２０４ 金属電極
２０６ 電子輸送層
２０８ 正孔輸送層
２０９ 発光層
３０２ 電子
３０４ 正孔
３０６ 可視光線
（本発明）
１２   台座
１４   薄膜トランジスタ配列
１６   第一有機発光層
１７   絶縁層
１８   第二有機発光層
１９   陰極層
２０   遮蔽板
２６   第一有機材料モジュール
２８   第二有機材料モジュール
【図１】
2017502326.tif 000003
【図２】
2017502326.tif 000004
【図３】
2017502326.tif 000005
【図４】
2017502326.tif 000006
【図５】
2017502326.tif 000007
【図６】
2017502326.tif 000008
【国際調査報告】
2017502326.tif 000009
2017502326.tif 000010
2017502326.tif 000011
2017502326.tif 000012